(57)【要約】【課題】  外部コネクタの交換が容易に行えるとともに、充分な防水性及び気密性が保持できるコネクタ構造を備えた電子機器を提供することを目的とする。【解決手段】  トランスミッタ１のシャーシ２ａに穿設されたコネクタ装着孔４に、径の異なる複数の円筒部を連結した形状に形成され、一端に接合ピン５ａを突設させ、他端に、外部コネクタの接続ピンが挿入される接続ピン挿入孔を備えた外部コネクタ接続部を設け、略中央部にＯリング装着部を備えた中間コネクタ５を装着し、同中間コネクタ５に、外部コネクタ６及び外部コネクタ７を夫々交換可能に接続する。【選択図】  図１
2011134720.tif 000002
【特許請求の範囲】
【請求項１】
筺体と、同筺体に備えられた回路基板と、前記筺体に設けられたコネクタ装着孔に装着するとともに一端に備えた接合ピンを前記回路基板と電気的に接続する中間コネクタと、一端に備えた接続ピンを前記中間コネクタに設けられた外部コネクタ接続部に接続するとともに他端に外部の機器と接続するための接続部を備えた外部コネクタとからなり、
前記中間コネクタは同中間コネクタの外周面に設けたＯリング装着部にＯリングが装着され、前記外部コネクタは同外部コネクタの外周面に設けたフランジ部の前記接続ピン側に隣接させてシール材が装着され、
前記筺体に異なる接続部を有する複数種類の前記外部コネクタを交換可能に装着することを特徴とする電子機器。
【請求項２】
前記外部コネクタは異なる特性インピーダンスを有する複数種類のコネクタであり、前記中間コネクタの特性インピーダンスは前記異なる特性インピーダンスの最小値以上、最大値以下の値としたことを特徴とする請求項１に記載の電子機器。
【請求項３】
前記外部コネクタは前記接続ピンを囲む円柱状の誘電体からなるスリーブ部を備え、同スリーブ部の直径は前記複数種類の外部コネクタで同一寸法としたことを特徴とする請求項２に記載の電子機器。
【発明の詳細な説明】
【技術分野】
【０００１】
本発明は、通信衛星用トランスミッタ等の電子機器に係わり、より詳細には、前記電子機器の筐体に、種類の異なる外部接続コネクタを夫々交換可能に接続できる構成に関する。
【背景技術】
【０００２】
パラボラアンテナ等に取付けて電波を送受信するための電子機器として、例えばトランスミッタがある。従来のトランスミッタ４０は、例えば図６で示すように、アルミダイキャストから形成される上面が開放されたシャーシ４１と、同シャーシ４１の開放された上面に被着されるカバー４２とで外郭筐体を構成し、同外郭筐体内に回路基板４３を設けている。前記シャーシ４１の側面には、ＩＦ信号を入力するためのコネクタを装着する装着孔４１ａ及び螺子孔４１ｂが穿設されており、先端に回路基板と接合するための接合ピン１５ａを突設させたコネクタ１５が前記装着孔４１ａから装着され、螺子２０と前記螺子孔４１ｂにより前記シャーシ４１に螺着されるとともに、前記接合ピン１５ａが前記回路基板４３上のランド４３ａにハンダ接合されるようになっている。入力されたＩＦ信号は、回路基板４３上に設けられた電子回路（図示せず）で増幅、周波数変換等が行われ、前記シャーシ４１の所定位置に設けられた、例えば導波管状の出力端子（図示せず）からＲＦ信号として出力されるようになっている。
【０００３】
前記コネクタ１５としては、特性インピーダンスが５０ΩのＮ型レセプタクルコネクタと、特性インピーダンスが７５ΩのＦ型レセプタクルコネクタとがよく用いられており、工場出荷後、ユーザーあるいはサービスマンが必要に応じて、これらを交換したいという要望がある。ところが、上記の構造では、例えばＮ型レセプタクルコネクタからＦ型レセプタクルコネクタに交換しようとする場合には、前記シャーシ４１から前記カバー４２を取り外し、前記接合ピン１５ａと前記回路基板４３上のランド４３ａとを接合するハンダを除去する必要があり、交換作業が煩雑となってしまい、完成したトランスミッタで交換作業を実施するのは事実上不可能という問題が生じていた。
【０００４】
又、パラボラアンテナ等に装着されるトランスミッタは、風雨に晒されるため充分な防水性及び気密性が要求され、外部コネクタを交換した場合でも、これら防水性及び気密性を充分に保持できる構造が求められていた。
【発明の概要】
【発明が解決しようとする課題】
【０００５】
本発明は、上記問題点に鑑み、Ｎ型レセプタクルコネクタからＦ型レセプタクルコネクタに、あるいはＦ型レセプタクルコネクタからＮ型レセプタクルコネクタにというように必要に応じて外部コネクタの交換が容易に行なうことができるコネクタ取付構造を備えた電子機器を提供することを目的とする。又、充分な防水性及び気密性が保持できるコネクタ取付構造を備えた電子機器を提供することを目的とする。
【課題を解決するための手段】
【０００６】
本発明は、上記課題を解決するため、筺体と、同筺体に備えられた回路基板と、前記筺体に設けられたコネクタ装着孔に装着するとともに一端に備えた接合ピンを前記回路基板と電気的に接続する中間コネクタと、一端に備えた接続ピンを前記中間コネクタに設けられた外部コネクタ接続部に接続するとともに他端に外部の機器と接続するための接続部を備えた外部コネクタとからなり、前記中間コネクタは同中間コネクタの外周面に設けたＯリング装着部にＯリングが装着され、前記外部コネクタは同外部コネクタの外周面に設けたフランジ部の前記接続ピン側に隣接させてシール材が装着され、前記筺体に異なる接続部を有する複数種類の前記外部コネクタを交換可能に装着する構成になっている。又、前記外部コネクタは異なる特性インピーダンスを有する複数種類のコネクタであり、前記中間コネクタの特性インピーダンスは前記異なる特性インピーダンスの最小値以上、最大値以下の値とした構成となっている。又、前記外部コネクタは前記接続ピンを囲む円柱状の誘電体からなるスリーブ部を備え、同スリーブ部の直径は前記複数種類の外部コネクタで同一寸法とした構成になっている。
【発明の効果】
【０００７】
本発明によると、外部の機器に接続される外部コネクタを容易に交換可能とするとともに、交換作業により外部コネクタのシール材の気密が不充分な場合でも筐体内部への雨水等の侵入を充分に防止することができる。又、特性インピーダンスが異なる外部コネクタに交換してもＶＳＷＲの劣化を抑えることができる。又、異なる外部コネクタに交換しても同軸コネクタとしての特性を維持できる。
【図面の簡単な説明】
【０００８】
【図１】（Ａ）は本発明によるトランスミッタの第一実施例を示す断面図である。（Ｂ）はトランスミッタから外部コネクタを分離した状態を示す断面図である。
【図２】中間コネクタの正面図及び側面図である。
【図３】（Ａ）はＮ型レセプタクルコネクタの正面図及び側面図である。（Ｂ）はＦ型レセプタクルコネクタの正面図及び側面図である。
【図４】（Ａ）は本発明によるトランスミッタの第二実施例を示す断面図である。（Ｂ）はトランスミッタから外部コネクタを分離した状態を示す断面図である。
【図５】本発明によるトランスミッタの第三実施例を示す断面図である。
【図６】従来のトランスミッタを示す断面図である。
【発明を実施するための形態】
【０００９】
以下、本発明の実施の形態を、添付図面に基づいた実施例として詳細に説明する。
【実施例１】
【００１０】
図１は、本発明による電子機器としてのトランスミッタの第一実施例を示す断面図であり、図２は同トランスミッタに装着される中間コネクタの正面図及び側面図であり、又図３は、同トランスミッタに装着される、外部コネクタとしてのＮ型レセプタクルコネクタ及びＦ型レセプタクルコネクタの正面図及び側面図である。図４は第二実施例を示す断面図であり、図５は第三実施例を示す断面図である。
【００１１】
本発明による電子機器としてのトランスミッタ１は従来例での説明と同様に、図１（Ａ）及び図１（ｂ）で示すように、アルミダイキャストから形成され、内部空間を有する、上面が開放されたシャーシ２ａと、同シャーシ２ａの開放された上面に被着されるカバー２ｂとで外郭筐体２を構成し、同外郭筐体２内に、ＩＣ等の種々の電子部品を搭載した回路基板３を設けている。前記シャーシ２ａの側壁には、内部空間に貫通する、段状に形成されたコネクタ装着孔４が穿設されており、同コネクタ装着孔４は、径が大きい外部側孔４ａと、内壁面に雌螺子を形成し、前記外部側孔４ａより径が小さい内部孔側４ｂとに区画され、更に、前記外部側孔４ａの外部開放端側には、後述するレセプタクルコネクタのシール材が嵌着する拡径部４ｃが形成され、前記内部孔側４ｂの内部空間に連通する内部開放端側には、前記内部孔側４ｂより径が小さい狭径部４ｄが形成されている。尚、本実施例において、筐体はシャーシ２ａとカバー２ｂとで構成されるとしているが、ここでいう筐体とは回路基板を設けるための構造物を意味しており、シャーシ２ａのみをもって筐体としてもよい。
【００１２】
前記コネクタ装着孔４の内部孔側４ｂに先端部に接合ピン５ａを突設させた略円筒状の中間コネクタ５が装着され、又、図１（Ａ）で示すように、前記外部側孔４ａには、前記中間コネクタ５に接続される外部コネクタ６が装着されるようになっている。又、前記コネクタ装着孔４の周囲外壁面には、複数の螺子孔２ｃが穿設されている。
【００１３】
前記中間コネクタ５は、後述する第一雄螺子部５ｃにより、前記シャーシ２ａの外方側から、前記コネクタ装着孔４の、内壁面に雌螺子を形成した前記内部孔側４ｂに螺着され固定されるようになっている。又、同中間コネクタ５の一端側に突設された前記接合ピン５ａは、前記回路基板３上のランド３ａにハンダ接合される一方、他端側は、図１（Ｂ）で示すように、外部コネクタである特性インピーダンスが５０ΩのＮ型レセプタクルコネクタ６と、特性インピーダンスが７５ΩのＦ型レセプタクルコネクタ７とが、後述する構造により夫々交換可能に着脱できるようになっている。
【００１４】
前記中間コネクタ５には、防水性、気密性を保持する弾性体からなる円環状に形成されたＯリング８が装着されており、同Ｏリング８が前記中間コネクタ５の外周面と、前記内部孔側４ｂの内壁面に密着することにより、同コネクタ装着孔４のシャーシ２ａ外からの雨水等の侵入を充分に防止できるようになっている。
【００１５】
次に、前記中間コネクタ５の構造について説明する。図２で示すように、前記中間コネクタ５は、径の異なる複数の円筒部を連結した形状に形成され、一端に前記接合ピン５ａを突設させ、他端に外部コネクタ接続部５ｂを設けている。同外部コネクタ接続部５ｂの中心部には、側面図で示すように、後述する外部コネクタの接続ピンが挿入される接続ピン挿入孔５ｅが穿設され、又、同外部コネクタ接続部５ｂの端面には、ドライバ等の工具が係合する係合溝５ｄが設けられている。又、外周面には、前記内部孔側４ｂの内壁面に形成された雌螺子部に適合する雄螺子を形成した螺子部５ｃが設けられている。又、前記接合ピン５ａ側には、前記複数の円筒部の中で、径の最も小さいＯリング装着部５ｇが形成され、同Ｏリング装着部５ｇには、上記したように防水性、気密性を保持するための弾性体からなる円環状に形成されたＯリング８が装着されるようになっている。尚、前記中間コネクタの内部には、前記接続ピン挿入孔５ｅより挿入された外部コネクタ６、７の接続ピンと電気的に接続させるための、図示しない雌型コンタクトが備えられており、この雌型コンタクトは前記中間コネクタ５の接合ピン５ａと導通している。この雌型コンタクトの形状は、すり割り形状、フォーク形状等、コネクタとして機械的、電気的特性を満足するものであればよい。
【００１６】
次に、前記中間コネクタ５に接続される外部コネクタについて説明する。図３（Ａ）で示す外部コネクタは、特性インピーダンスが５０ΩのＮ型レセプタクルコネクタ６であり、前記中間コネクタ５と同様に、筒形状に形成され、複数の螺子挿通孔６ｄを周囲に穿設した矩形状のフランジ６ｂを設けている。又、同Ｎ型レセプタクルコネクタ６の一端には、前記中間コネクタ５の接続ピン挿入孔５ｅに挿入して接続される接続ピン６ａが突設され、他端には、信号用ケーブルの先端部に設けられたプラグが螺着される、外周面に螺子部を形成したプラグ接続部６ｃが設けられている。又、前記フランジ６ｂの接続ピン６ａ側に隣接してシール材９が装着されるようになっている。又、スリーブ部６ｅは、前記接続ピン６ａを囲む誘電体の周囲を導体で覆うか、同誘電体が露出した構成となっている。
【００１７】
次に、他の外部コネクタとして、特性インピーダンスが７５ΩのＦ型レセプタクルコネクタ７について説明する。図３（Ｂ）で示すように、同Ｆ型レセプタクルコネクタ７は、ほぼ同径の円筒形状に形成され、前記Ｎ型レセプタクルコネクタ６と同様に、複数の螺子挿通孔７ｄを周囲に穿設した矩形状のフランジ７ｂを設け、前記中間コネクタ５の接続ピン挿入孔５ｅに挿入して接続される接続ピン７ａが一端に突設され、信号用ケーブルの先端部に設けられたプラグが螺着される、外周面に螺子部を形成したプラグ接続部７ｃが他端に設けられている。又、前記フランジ７ｂの接続ピン７ａ側に隣接してシール材１０が装着されるようになっている。又、スリーブ部７ｅは、前記接続ピン７ａを囲む誘電体の周囲を導体で覆うか、同誘電体が露出した構成となっている。
【００１８】
上記したＮ型レセプタクルコネクタ６の前記フランジ６ｂから前記接続ピン６ａに至る形状と、前記Ｆ型レセプタクルコネクタ７のフランジ７ｂから前記接続ピン７ａに至る形状とは同一形状となるように形成されており、これにより、前記Ｎ型レセプタクルコネクタ６及び前記Ｆ型レセプタクルコネクタ７は、前記中間コネクタ５に対し夫々交換可能の構造となっている。従って、前記シャーシ２ａの螺子孔２ｃ、前記外部側孔４ａ等も共通でよく、共通のシャーシで上述したような異なる外部コネクタを装着することができ、異なる外部コネクタの電子機器を取り揃える場合でも、シャーシの金型が一種類で済み、コストダウンに繋げることができる。
【００１９】
次に、前記中間コネクタ５を組み込むトランスミッタ１の組立について説明する。まず、前記シャーシ２ａに前記回路基板３を螺子止め等により固着する。続いて、前記Ｏリング装着部５ｇにＯリング８を装着した状態で、前記シャーシ２ａの外部側から前記中間コネクタ５を前記コネクタ装着孔４に挿入し、ドライバ等の工具を前記係合溝５ｄに係合させ回動させて、前記雄螺子部５ｃを前記内部孔側４ｂに螺合させ固定する。続いて、前記接合ピン５ａを前記回路基板３のランド３ａにハンダ接合により接続する。次に、前記カバー２ｂを前記シャーシ２ａの開放された上面に螺着させる。本実施例では、前記係合溝５ｄはマイナス溝であるが、これに限らずプラス溝等の形状でもよい。
【００２０】
前記中間コネクタ５に装着された前記Ｏリング８が、同中間コネクタ５の外周面と前記内部孔側４ｂの内壁面に密着する構造により前記コネクタ装着孔４のシャーシ２ａ外方側から雨水が侵入しようとしても、充分にこれを防止することができるようになっている。
特に、ユーザーが外部コネクタを交換した場合、作業の不具合により、外部コネクタのシール材９、１０による気密が不充分な場合があり、このような場合、前記Ｏリング８により気密が保たれ、シャーシ２ａ内部への雨水等の侵入を防止することができる。尚、外部コネクタの交換の際、気密が保証される場合は前記Ｏリング８はなくてもよい。
【００２１】
トランスミッタ１に、外部コネクタであるＮ型レセプタクルコネクタ６を接続する場合は、前記接続ピン６ａを前記中間コネクタ５の接続ピン挿入孔５ｅに挿入し、次に、前記フランジ６ｂの螺子挿通孔６ｄに夫々螺子２０を挿通させるとともに、同螺子２０を前記シャーシ２ａに穿設された前記螺子孔２ｃに螺合させる。これによりＮ型レセプタクルコネクタ６がトランスミッタ１に装着されるようになっている。
【００２２】
前記Ｎ型レセプタクルコネクタ６を前記Ｆ型レセプタクルコネクタ７に交換する場合は、前記螺子２０を前記螺子孔２ｃから抜脱するとともに、前記接続ピン６ａを前記接続ピン挿入孔５ｅから抜脱して前記Ｎ型外部コネクタ６を分離させる。次に、上述した手順と同様にして、前記Ｆ型レセプタクルコネクタ７をトランスミッタ１に装着する。これにより、容易に外部コネクタを交換することが可能となっている。
【実施例２】
【００２３】
次に、第二実施例について説明する。第二実施例は、図４で示すように、シャーシ２ａの側壁にほぼ同径に形成され、内部空間側の開放端部に拡径部を形成したコネクタ装着孔１２を穿設し、同コネクタ装着孔１２の内部空間側内壁面１２ａに雌螺子を形成している。中間コネクタ１１は、一端に接合ピン１１ａを突設させ、他端に、外周面に雄螺子を形成した外部コネクタ接続部１１ｃを設けている。同外部コネクタ接続部１１ｃの中心部には、外部コネクタの接続ピンが挿入される接続ピン挿入孔が穿設されている。図示しない雌型コンタクトに関しては、実施例１と同様である。又、前記接合ピン１１ａ側には、外形形状が六角形状に形成されたフランジ１１ｂが設けられている。
【００２４】
前記中間コネクタ１１を前記シャーシ２ａに装着する際は、前記拡径部に対応する中間コネクタ１１の部位に、前記Ｏリング８を配置する一方、前記中間コネクタ１１を前記同コネクタ装着孔１２の内部空間側から挿入させるとともに、前記フランジ１１ｂにスパナ等の工具を係合させ回動させて、雌螺子部に螺合させるようになっている。続いて、前記接合ピン１１ａを前記回路基板３上のランド３ａにハンダ接合により接続し、次に、前記カバー２ｂを前記シャーシ２ａの開放された上面に螺着させる。前記中間コネクタ１１には、図４（Ｂ）で示すように、Ｎ型レセプタクルコネクタ６及びＦ型レセプタクルコネクタ７が夫々交換可能となっている。
【００２５】
次に、第三実施例について説明する。第三実施例は、図５で示すように、シャーシ２ａの側壁に、大径部１３ａと、内壁面に雌螺子を形成した小径部１３ｂとからなるコネクタ装着孔１３を穿設し、前記小径部１３ｂの前記大径部１３ａ側開放端にＯリング８が配置される拡径部１３ｃを形成している。中間コネクタ１４は、一端に接合ピン１４ａを突設させ、本体部を、外形形状が六角形状に形成されたフランジ１４ｄにより、外部コネクタ接続部１４ｂと、外周面に雄螺子を形成した装着部１４ｃとに区画している。図示しない雌型コンタクトに関しては、実施例１と同様である。
【００２６】
前記中間コネクタ１４を前記シャーシ２ａに装着する際は、前記拡径部１３ｃに対応する中間コネクタ１４の部位に、Ｏリング８を配置する一方、前記中間コネクタ１４を前記コネクタ装着孔１２の外方側から挿入させるとともに、前記フランジ１４ｄにボックススパナ等の工具を係合させ回動させて、前記小径部１３ｂに前記装着部１３ｂを螺合させるようになっている。続いて、前記接合ピン１４ａを前記回路基板３上のランド３ａにハンダ接合により接続し、次に、前記カバー２ｂを前記シャーシ２ａの開放された上面に螺着させる。前記中間コネクタ１４には、図４（Ｂ）で示すように、Ｎ型レセプタクルコネクタ６及びＦ型レセプタクルコネクタ７が夫々交換可能となっている。
【００２７】
尚、上記した実施例では、電子機器としての送信機であるトランスミッタを基に説明したが、本願はこれに限定されるものでなく、外郭筐体にレセプタクルコネクタを取付ける他の電子機器にも応用できる。又、レセプタクルコネクタはＦ型、Ｎ型以外でもよく、防水性、気密性を要さない場合は、Ｏリングを省略してもよい。又、レセプタクルコネクタはプラグコネクタでも、雄雌の区別のないコネクタでもよい。
【００２８】
本願の実施例１乃至３では外部コネクタとして、特性インピーダンスが５０ΩのＮ型レセプタクルコネクタ６と特性インピーダンスが７５ΩのＦ型レセプタクルコネクタ７とを交換可能とする構成について説明した。中間コネクタ５の特性インピーダンスが７５Ωであるとすると、前記Ｆ型レセプタクルコネクタ７を中間コネクタ５に接続したとき、それぞれのコネクタ間のインピーダンス整合がとれているので、前記Ｆ型レセプタクルコネクタ７から前記中間コネクタ５側を見たＶＳＷＲ（電圧定在波比）は１である。ここで前記Ｆ型レセプタクルコネクタ７を前記Ｎ型レセプタクルコネクタ６に交換すると、それぞれのコネクタの特性インピーダンスの違いによりＶＳＷＲは１．５と劣化する。但し、通常のトランスミッタなどの電子機器において前記Ｎ型レセプタクルコネクタ６や前記Ｆ型レセプタクルコネクタ７などの同軸コネクタ端子に要求されるＶＳＷＲは２〜２．５程度なので、ＶＳＷＲ１．５という値は実用上問題のない値である。
【００２９】
また、中間コネクタ５の特性インピーダンスをそれぞれの外部コネクタの特性インピーダンスの間の値とすることで、このような外部コネクタの交換によるＶＳＷＲの劣化を抑えることができる。例えば、本実施例のそれぞれの外部コネクタ６、７の特性インピーダンス（５０Ωと７５Ω）に対して、中間コネクタ５の特性インピーダンスを６２．５Ω（＝（５０＋７５）／２）とする。この場合、前記いずれの外部コネクタ６、７を接続してもＶＳＷＲは１．２５となり、中間コネクタ５の特性インピーダンスを７５Ωとしたときに比べて、外部コネクタの交換によるＶＳＷＲの劣化を小さく抑えることができる。
【００３０】
以上の説明において、特性インピーダンスとＶＳＷＲの関係は、外部コネクタの特性インピーダンスをＺ0 、中間コネクタの特性インピーダンスをＺ1 とすると、
2011134720.tif 000003
により求めることができる。また、中間コネクタ５の特性インピーダンスと回路基板３上のランド３ａに連なる信号ラインの特性インピーダンスが等しいものとしているが、必ずしもそれに限るものではない。又、外部コネクタ６、７と中間コネクタ５の特性インピーダンスの値の関係は、以上の説明に限るものではなく、５０Ωと７５Ωのどちらへのインピーダンス整合を主とするのか、要求されるＶＳＷＲの仕様値などの種々の条件により適宜選択することができる。
【００３１】
又、本願発明のように外部コネクタを交換する代わりに、例えば図６の従来例の構成でＦ型コネクタが必要とされた場合にＮ型−Ｆ型変換アダプタを用いることもできるが、その場合は変換アダプタの機械的強度、気密性などの信頼性が保証できない、変換アダプタのコストが高くなるなどの問題があり、本願発明による構成の方が有利である。
【００３２】
又、本願発明の実施例１及び実施例２では、それぞれ図１、図４に示すように、外部コネクタ６又は７をシャーシ２ａに装着したとき、シャーシ２ａの外部側孔４ａと外部コネクタ６、７それぞれのスリーブ部６ｅ、７ｅとの空隙を狭くでき、且つ外部コネクタ６、７それぞれのフランジ６ｂ、７ｂとシャーシ２ａの接触面を大きくとれる。つまり外部コネクタ６、７のグランドとシャーシ２ａのグランドを近接して配置できるため、高周波特性を改善することができる。また、前記スリーブ部６ｅ、７ｅが導体で覆われておらず、誘電体が露出している構成の場合は、同スリーブ部６ｅ、７ｅと前記外部側孔４ａの内壁が近接しているため、同内壁が同軸コネクタの外部導体と同じように作用し、同軸コネクタとしての特性を維持することができる。
【符号の説明】
【００３３】
１ トランスミッタ
２ 外郭筐体
２ａ シャーシ
２ｂ カバー
２ｃ 螺子孔
３ 回路基板
３ａ ランド
４ コネクタ装着孔 
４ａ 外部側孔
４ｂ 内部孔側
４ｃ 拡径部
４ｄ 狭径部
５ 中間コネクタ
５ａ 接合ピン
５ｂ 外部コネクタ接続部
５ｃ 雄螺子部
５ｄ 係合溝
５ｅ 接続ピン挿入孔
５ｇ Ｏリング装着部
６ 外部コネクタ（Ｎ型レセプタクルコネクタ）
６ａ 接続ピン
６ｂ フランジ
６ｃ プラグ接続部
６ｄ 螺子挿通孔
６ｅ スリーブ部
７ 外部コネクタ（Ｆ型レセプタクルコネクタ）
７ａ 接続ピン
７ｂ フランジ
７ｃ プラグ接続部
７ｄ 螺子挿通孔
７ｅ スリーブ部
８ Ｏリング
９、１０ シール材
１１ 中間コネクタ
１１ａ 接合ピン
１１ｂ フランジ
１１ｃ 外部コネクタ接続部
１２ コネクタ装着孔
１３ コネクタ装着孔
１３ａ 大径部
１３ｂ 小径部
１３ｃ 拡径部
１４ 中間コネクタ
１４ａ 接合ピン
１４ｂ 装着部
１４ｃ 外部コネクタ接続部
１４ｄ フランジ
１５ コネクタ
１５ａ 接合ピン
２０ 螺子
【図１】
2011134720.tif 000004
【図２】
2011134720.tif 000005
【図３】
2011134720.tif 000006
【図４】
2011134720.tif 000007
【図５】
2011134720.tif 000008
【図６】
2011134720.tif 000009